(57)【特許請求の範囲】
【請求項１】
軸方向一端部に吸気口を形成する一方、側面部に、ダクトに接続される排気口を形成した本体枠と、
この本体枠内に配設され、上記吸気口側の翼部および反吸気口側の翼部を備えた両翼形の遠心ファンおよびこのファンを駆動するモータと、
上記遠心ファンの外周を囲むように配設され、上記吸気口側に形成された第１のベルマウスおよび上記反吸気口側に形成された第２のベルマウスとを備えたファンケーシングと、
上記本体枠の吸気口端部に装着され、この吸気口に対向する対向壁に穿設された主吸込口およびこの主吸込口よりも外周側でかつ上記本体枠の吸気口よりも外側に設けられた導入口およびこの導入口に連通して上記吸気口端部側へ凹むように形成された導入風路部およびこの導入風路部の内端にて穿設されて上記導入口に対して垂直方向に開口する副吸込口を備えた化粧パネルと、
上記主吸込口からの吸込空気を上記第１のベルマウスに案内する第１の通風路および上記副吸込口からの吸込空気を上記第２のベルマウスに案内する第２の通風路と、
を具備していることを特徴とするダクト用換気扇。
【請求項２】
上記化粧パネルの内面または上記ファンケーシングの吸気口端部の少なくとも一方に、上記主吸込口から吸い込まれた吸込空気と、上記副吸込口から吸い込まれた吸込空気の両通風路を仕切って、後者の通風を上記第２の通風路に案内する仕切部を設けたことを特徴とする請求項１記載のダクト用換気扇。
【発明の詳細な説明】
【０００１】
【発明の属する技術分野】
本発明は、浴室等の天井裏等に配設され、室内空気を換気するダクト用換気扇に関する。
【０００２】
【従来の技術】
従来、この種のダクト用換気扇としては、例えば図４に示すものや特許第２５７３３５７号公報に記載された発明（以下第１の従来技術という）、特許第２９２５８５１号公報に記載された発明（以下第２の従来技術という）がそれぞれ知られている。
【０００３】
図４に示すようにこれらは浴室等の天井板１０１の取付枠１０２に、有蓋角筒状の本体枠１０３を配設し、この本体枠１０３内に、両翼ファン形の遠心ファン１０４を配設することにより、図中矢印線により示すように本体枠１０３の吸気口１０５側の第１のベルマウス１０６から室内空気を吸い込む一方、反吸気口側の第２のベルマウス１０７からも室内空気を吸い込むことにより、吸込風量ないし送風量を増大させて換気性能の向上を図っている。
【０００４】
【発明が解決しようとする課題】
しかしながら、図４および上記従来技術１では、化粧パネル１０８に穿設した複数の通気孔１０９，１０９，…が本体枠１０３の吸気口１０５側端部に対向する中央部１０８ａのみに穿設されているだけであり、吸気口１０５側端部よりも外周側の外周部１０８ｂまで穿設されていないので、この化粧パネル１０８の全通気孔１０９の総開口面積が必ずしも大きくない。このために、本体枠１０３内への吸込風量ないし送風量が必ずしも多くないので、換気性能も必ずしも高くないという課題がある。
【０００５】
また、従来技術１では、その公報の第１図、第２図に示すように化粧パネル２３の通気孔２４が比較的大きく、かつファンケーシングである下断熱体１０の吸気口４の下方にあるので、これら通気孔２４を通して本体枠３の内部が見えてしまい、外観上の美感を害するという課題がある。
【０００６】
これに対して、上記従来技術２では、その公報の図１に示すように化粧パネルである化粧枠１２の下面の通気口１２ａが少なく、しかも、化粧枠１２の外周部に通気口１２ａが穿設されていないので、これら通気口１２ａを通して本体枠である外枠１の内部が見えるのを低減することができる。しかし、この従来技術２では、その化粧枠（パネル）１２の通気口１２ａが少ないので、これら全通気口１２ａの総開口面積が小さい。このために、本体枠内への吸込風量ないし送風量が少なく、換気性能が必ずしも高くないという課題がある。
【０００７】
本発明はこのような事情を考慮してなされたもので、その目的は、外観上の美感の低下を抑制しつつ吸込孔の総開口面積の増大を図って吸込風量も増大させることができる換気性能の高いダクト用換気扇を提供することを目的とする。
【０００８】
【課題を解決するための手段】
請求項１に係る発明は、軸方向一端部に吸気口を形成する一方、側面部に、ダクトに接続される排気口を形成した本体枠と、この本体枠内に配設され、上記吸気口側の翼部および反吸気口側の翼部を備えた両翼形の遠心ファンおよびこのファンを駆動するモータと、上記遠心ファンの外周を囲むように配設され、上記吸気口側に形成された第１のベルマウスおよび上記反吸気口側に形成された第２のベルマウスとを備えたファンケーシングと、上記本体枠の吸気口端部に装着され、この吸気口に対向する対向壁に穿設された主吸込口およびこの主吸込口よりも外周側でかつ上記本体枠の吸気口よりも外側に設けられた導入口およびこの導入口に連通して上記吸気口端部側へ凹むように形成された導入風路部およびこの導入風路部の内端にて穿設されて上記導入口に対して垂直方向に開口する副吸込口を備えた化粧パネルと、上記主吸込口からの吸込空気を上記第１のベルマウスに案内する第１の通風路および上記副吸込口からの吸込空気を上記第２のベルマウスに案内する第２の通風路と、を具備していることを特徴とするダクト用換気扇である。
【０００９】
この発明によれば、化粧パネルの主吸込口と共に、その外周側に副吸込口を増設しているので、この副吸込口を増設した分だけ吸込口の総開口面積を増大させることができる。このために、本体枠内への吸込風量ないし送風量を増大させることができるので、換気性能を向上させることができる。
【００１０】
また、この副吸込口を、導入風路部の内端に形成すると共に、導入風路部を介して連通する導入口に対しては垂直方向に開口させており、副吸込口と導入口の開口がほぼ直角をなしているので、副吸込口自体を目立たなくすることができると共に、これら導入口と副吸込口を通して本体枠の内部を見通すのを防止ないし抑制することができる。これにより外観上の美感の向上を図ることができる。
【００１４】
請求項２に係る発明は、上記化粧パネルの内面または上記ファンケーシングの吸気口端部の少なくとも一方に、上記主吸込口から吸い込まれた吸込空気と、上記副吸込口から吸い込まれた吸込空気の両通風路を仕切って、後者の通風を上記第２の通風路に案内する仕切部を設けたことを特徴とする請求項１記載のダクト用換気扇である。
【００１５】
この発明によれば、副吸込口から吸い込まれた吸込空気を仕切部により第２の通風路へ通風させるように案内するので、この第２の通風路を経て第２のベルマウスへ通風される通風量を増大させることができる。すなわち、副吸込口から吸い込まれる吸込風量を増大させることができるので、その分、換気性能を向上させることができる。
【００１６】
【発明の実施の形態】
以下、本発明の実施形態を図１〜図３に基づいて説明する。なお、これらの図中、同一または相当部分には同一符号を付している。
【００１７】
図１は本発明の一実施形態に係るダクト用換気扇の縦断面図、図３はその一部の分解斜視図である。これらの図に示すようにダクト用換気扇１は、建造物の浴室等の天井２に開口した取付開口３の取付枠４上に、有蓋角筒状のプラスチック製等の本体枠５を立設し、このその吸気開口５ａ側端部を固定して天井裏に本体枠５を配設している。
【００１８】
本体枠５は、その一側壁に排気口５ｂを穿設し、この排気口５ｂの外端に排気ダクト６を接続している。また、本体枠５は、その内部に、ファンケーシング７を配設し、このファンケーシング７内には両翼形の遠心ファン８を収容している。ファンケーシング７は遠心ファン８の外周を径方向に所定の間隔を置いて囲む両端開口の円筒状のファンケーシング本体７ａと、このファンケーシング７ａの図３中開口上端に取り付けられる上端板７ｂと、同開口下端に取り付けられる下端板７ｃと、本体枠５の排気口５ｂに排気をガイドする排気ガイド７ｄと、を備えている。
【００１９】
下端板７ｃには、第１のベルマウス７ｃ１を形成し、上端板７ｂには、第２のベルマウス７ｂ１を形成している。この上端板７ｂは図３中左右一対の取付部材９ａ，９ｂにより本体枠５の上蓋部５ｃの内面に取着されている。また、この取付部材９ａ，９ｂには遠心ファン８を回転駆動するファンモータ１０を取り付けている。
【００２０】
遠心ファン８は、第１のベルマウス７ｃ１側（吸気口５ａ側）に、第１の翼部８ａを形成する一方、第２のベルマウス７ｂ１側（反吸気口５ａ側）に、第２の翼部８ｂを形成し、第１，第２の両ベルマウス７ｃ１，７ｂ１から空気をファンケーシング７内にそれぞれ吸い込むことができるようになっている。
【００２１】
そして、本体枠５の吸気口５ａ端部には、有底偏平箱状の化粧パネル１１の開口端部を着脱自在に装着している。化粧パネル１１は、その底部、つまり本体枠５の吸気口５ａに対向する対向壁である前面部１１ａの中央部に、本体枠５の吸気口５ａの下方にて若干小さい複数の通気孔１２，１２，…を主吸込口として穿設している。
【００２２】
また、化粧パネル１１は、その内面に、ファンケーシング本体７ａの外周壁に軸方向で対向する箇所において、円筒状の下リブ１３を一体ないし一体的に同心状に穿設し、さらに、この下リブ１３の内端に対向する箇所にて、この下リブ１３とほぼ同径円筒状の上リブ１４を下端板７ｃの図中下面に同心状に突設し、これら上下一対のリブ１４，１３の内周側を第１の通風路１５に形成する一方、その外周側を第２の通風路１６の一部に形成している。この第２の通風路は図１中矢印線で示すようにファンケーシング７ａの外周面と本体枠５の側壁内面との間隙と、本体枠５の上蓋５ｃの内面と上端板７ｂとの間隙を連結して形成されている。
【００２３】
そして、化粧パネル１１は、その前面部１１ａに、上記複数の通気孔１２よりも外周側の外周部にて導入口１７を穿設している。この導入口１７は例えば化粧パネル１１の前面部１１ａの一部を内方へ凹ませることにより形成され、その凹部内を導入風路部１８に形成する一方、その凹部側壁に副吸込口１９を図１中水平方向に穿設している。したがって、この副吸込口１９は導入口１７に対して垂直方向に開口しており、本体枠５内の第２の通風路１６の図中下端に連通している。
【００２４】
これにより、ファンモータ１０の運転時には、化粧パネル１１の主吸込口である複数の通気孔１２，１２から室内空気が本体枠５内の吸気口５ａへ吸い込まれ、かつ上下一対のリブ１４，１３により案内されて第１の通風路１５を通風してファンケーシング８内へ、その第１のベルマウス７ｃ１から吸い込まれる。
【００２５】
また、このとき、化粧パネル１１の副吸込口１９からも、室内空気が導入口１７と導入風路部１８を通って化粧パネル１１内へ吸い込まれ、さらに、この吸込空気は上下一対のリブ１４，１３により案内されて、本体枠５内の第２通風路１６を経てファンケーシング８内へ、その第２のベルマウス７ｂ１から吸い込まれる。
【００２６】
こうしてファンケーシング８内へ吸い込まれた空気は排気ガイド７ｄにより案内されて排気口５ｂから排気ダクト６に排気される。
【００２７】
したがって、このダクト用換気扇１によれば、化粧パネル１１の主吸込口である複数の通気孔１２，１２，…から、その内部へ室内空気を吸い込むことができると共に、副吸込口１９からも室内空気を吸い込むことができるので、その分、吸込風量を増大させることができる。すなわち、副吸込口１９を設けた分だけ吸込口の総開口面積を増大させたので、ダクト用換気扇１の換気性能を向上させることができる。
【００２８】
また、副吸込口１９を、導入風路部１８の内方に設けると共に、この副吸込口１９を、これに連通する導入口１７に対して垂直方向に開口させたので、副吸込口１９自体を目立たなくすることができると共に、この導入口１７と副吸込口１９を通して本体枠５の内部を見通すことができないので、外観上の美感を向上させることができる。
【００２９】
さらに、副吸込口１９は第２のベルマウス７ｂ１よりも第１のベルマウス７ｃ１の方が近いために、一般に副吸込口１９から吸い込まれた空気は第１のベルマウス７ｃ１側へ通風され易い。しかし、この副吸込口１９から吸い込まれた吸込空気は上下一対のリブ１４，１３により第２の通風路側を通風するようにガイドされるので、この第２のベルマウス７ｂ１側へ吸い込まれる吸込風量を増大させることができる。すなわち、副吸込口１９から本体枠５内へ吸い込まれる吸込風量を増大させることができるので、その分、換気性能を向上させることかできる。
【００３０】
図２は本発明の参考例に係るダクト用換気扇１Ａの縦断面図である。このダクト用換気扇１Ａは、上記副吸込口１９に代えて、単に化粧パネル１１Ａの側壁１１ｂに、副吸込口１９Ａを穿設した点に特徴がある。
【００３１】
すなわち、このダクト用換気扇１Ａは、上記ダクト用換気扇１における副吸込口１９、導入風路部１８および導入口１７を省略して、化粧パネル１１Ａの側壁１１ｂに副吸込口１９Ａを設けている。
【００３２】
このダクト用換気扇１Ａによっても、主吸込口である複数の通気孔１２のほかに、これら通気孔１２よりも外周側の外周部において、複数の副吸込口１９Ａを設けているので、その分、吸込口の総開口面積の増大を図ることができる。このために、吸込風量を増大させることができるので、換気性能の向上を図ることができる。
【００３３】
また、上記第１の実施形態に係るダクト用換気扇１の化粧パネル１１の導入口１７、導入風路部１８および副吸込口１９を省略するので、化粧パネル１１の構成を簡単化することができる。また、導入風路部１８の内方に副吸込口１９を形成するという複雑な加工も省略することができるので、製造コストの低減を図ることができる。なお、上記各実施形態では、仕切部として上リブ１４と下リブ１３の両者を共に設けた場合について説明したが、本発明はこれら上，下リブ１４，１３の一方のみを設けてもよい。
【００３４】
【発明の効果】
以上説明したように本発明は、化粧パネルの主吸込口と共に、その外周側に副吸込口を増設しているので、この副吸込口を増設した分だけ吸込口の総開口面積を増大させることができる。このために、吸込風量ないし送風量を増大させることができるので、換気性能を向上させることができる。
【００３５】
また、この副吸込口を、導入風路部の内端に形成すると共に、導入風路部を介して連通する導入口に対しては垂直方向に開口させており、副吸込口と導入口の開口がほぼ直角をなしているので、副吸込口自体を目立たなくすることができると共に、これら導入口と副吸込口を通して本体枠の内部を見通すのを防止ないし抑制することができる。これにより外観上の美感の向上を図ることができる。
【図面の簡単な説明】
【図１】  本発明の第１の実施形態に係るダクト用換気扇の縦断面図。
【図２】  本発明の参考例に係るダクト用換気扇の縦断面図。
【図３】  図１で示すダクト用換気扇の一部分解斜視図。
【図４】  従来のダクト用換気扇の縦断面図。
【符号の説明】
１，１Ａ  ダクト用換気扇
２  天井
５  本体枠
５ａ  吸気口
６  排気ダクト
７  ファンケーシング
７ａ  ファンケーシング本体
７ｂ  上端板
７ｃ  下端板
８  遠心ファン
８ａ  第１の翼部
８ｂ  第２の翼部
１１，１１Ａ  化粧パネル
１１ａ  前部
１２  通気孔
１３  下リブ
１４  上リブ
１５  第１通風路
１６  第２通風路
１７  導入口
１８  導入通風路
１９，１９Ａ  副吸込口
【図１】
0004640746.tif 000002
【図２】
0004640746.tif 000003
【図３】
0004640746.tif 000004
【図４】
0004640746.tif 000005